【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】
容積型圧縮機構部と回転式電動機部とを含む圧縮機であって、
前記回転式電動機部は、前記容積型圧縮機構部を駆動するシャフトと、前記シャフトに連動して回転する回転子と、前記回転子を包囲する固定子とを備え、
前記シャフトと前記回転子とは、シャフトの中心軸方向には固定され、シャフトの中心軸まわりの方向には弾性部材を介して結合されたことを特徴とする圧縮機。
【請求項２】
前記弾性部材が、ばねであって、前記回転子の積厚方向の略中央に設けられた、請求項１に記載の圧縮機。
【請求項３】
前記弾性部材が、板ばねであって、前記シャフトと前記回転子とを結合するキーとキー溝との間に設けられた、請求項１に記載の圧縮機。
【請求項４】
前記板ばねが前記回転子の積厚方向の略中央に設けられた、請求項３に記載の圧縮機。
【請求項５】
前記シャフトと前記回転子とを、約１８０度異なる位置に設けられた２つのキーで結合し、前記２つのキーのそれぞれの両側面に板ばねが設けられた、請求項３または４に記載の圧縮機。
【請求項６】
前記弾性部材がゴムまたは弾性を有する樹脂であるとともに、前記シャフトの外周面と前記回転子の内周面との間に設けられた、請求項１に記載の圧縮機。
【請求項７】
前記回転子の慣性モーメントをＩR、前記シャフトおよび前記容積型圧縮機構部の回転部分の慣性モーメントをＩS、前記シャフトの回転数をｆとしたとき、前記弾性部材の回転ばね定数Ｋが、
Ｋ＝（２πｆ）2ＩRＩS／（ＩR＋ＩS）を満たす、請求項１〜６のいずれかに記載の圧縮機。
【請求項８】
前記容積型圧縮機構部がロータリ式圧縮機構部である、請求項１〜７のいずれかに記載の圧縮機。
【請求項９】
作業流体として二酸化炭素を用いた、請求項１〜８のいずれかに記載の圧縮機。
【手続補正２】
【補正対象書類名】明細書
【補正対象項目名】０００４
【補正方法】変更
【補正の内容】
【０００４】
ロータリ圧縮機は、密閉容器１と、その内部に配置された容積型の圧縮機構部２と、回転式電動機部３とから構成されている。圧縮機構部２は、中心軸Ｌ１を中心に回転するシャフト４と、このシャフト４の偏心軸４ａに嵌合し、シャフト４の回転に伴いシリンダ５の内部で偏心回転運動を行うローラ６と、このローラ６に先端を接しながら、シリンダ５の溝５ａ内を往復運動するベーン７と、上記シャフト４を支える上軸受８および下軸受９とから構成されている。回転式電動機部３は、密閉容器１の内部に溶接、固定された固定子１０と、前記シャフト４に回転方向には、キー１１で、軸方向には、止め輪１２で固定された回転子１３とから構成されている。
【手続補正３】
【補正対象書類名】明細書
【補正対象項目名】０００５
【補正方法】変更
【補正の内容】
【０００５】
ロータリ圧縮機の作業流体は、吸入管１４からシリンダ５の吸入孔５ｂを通じて、圧縮室１５に導かれる。回転式電動機部３に通電して、回転子１３と一体のシャフト４が回転するとローラ６は偏心回転運動を行い、圧縮室１５の容積は変化する。上記圧縮室１５の容積変化に伴い作業流体は圧縮される。圧縮された作業流体は、吐出孔１６の吐出弁（図示せず。）が開くと、密閉容器１の内部を経て、吐出管１７より密閉容器１の外部に吐出される。
【手続補正４】
【補正対象書類名】明細書
【補正対象項目名】００１１
【補正方法】変更
【補正の内容】
【００１１】
【課題を解決するための手段】
本発明の圧縮機は、容積型圧縮機構部と回転式電動機部とを含む圧縮機であって、前記回転式電動機部は、前記容積型圧縮機構部を駆動するシャフトと、前記シャフトに連動して回転する回転子と、前記回転子を包囲する固定子とを備え、前記シャフトと前記回転子とは、シャフトの中心軸方向には固定され、シャフトの中心軸まわりの方向には弾性部材を介して結合されたことを特徴とする。
【手続補正５】
【補正対象書類名】明細書
【補正対象項目名】００１２
【補正方法】変更
【補正の内容】
【００１２】
また本発明の圧縮機は、前記弾性部材をばねで構成するとともに、前記ばねを、前記シャフトと前記回転子を中心軸まわりの方向に結合するキーとこのキーを保持する溝の間に介在させると好適である。
【手続補正６】
【補正対象書類名】明細書
【補正対象項目名】００１３
【補正方法】変更
【補正の内容】
【００１３】
また本発明の圧縮機は、前記弾性部材をゴムまたは弾性を有する樹脂で構成するとともに、前記弾性部材を前記シャフトの外周面と前記回転子の内周面との間に介在させると好適である。
【手続補正７】
【補正対象書類名】明細書
【補正対象項目名】００１４
【補正方法】変更
【補正の内容】
【００１４】
さらに本発明の圧縮機は、前記回転子の慣性モーメントをＩR、前記シャフトおよび前記容積型圧縮機構部の回転部分の慣性モーメントをＩS、前記シャフトの回転数をｆとしたとき、前記弾性部材の回転ばね定数Ｋが、
Ｋ＝（２πｆ）2ＩRＩS／（ＩR＋ＩS）を満たすように構成すると好適である。
【手続補正８】
【補正対象書類名】明細書
【補正対象項目名】００１５
【補正方法】変更
【補正の内容】
【００１５】
また本発明の圧縮機は、前記容積型圧縮機構部を、ロータリ式圧縮機構部としたものに適用すると好適である。
【手続補正９】
【補正対象書類名】明細書
【補正対象項目名】００１６
【補正方法】変更
【補正の内容】
【００１６】
また本発明の圧縮機は、作業流体として二酸化炭素を用いたものに適用すると好適である。
【手続補正１０】
【補正対象書類名】明細書
【補正対象項目名】００１８
【補正方法】変更
【補正の内容】
【００１８】
（実施の形態１）
図１は、実施の形態１におけるシャフト４と回転子１３であり、（ａ）は正面図、（ｂ）はそのＡ−Ａ断面図である。シャフト４の上側端部には容積型の圧縮機構部（図示せず）が配置されている。シャフト４には、回転子１３を同シャフト４に軸方向に固定するために上側の外径が僅かに大きい段差４ｂとその下側にリング溝２３（図２）が設けられている。そして段差４ｂとリング溝２３との中心軸Ｌ１方向の距離は、回転子１３の積厚と等しくしている。シャフト４は、下側端部４ｃから回転子１３の貫通孔１３ａに挿入される。回転子１３の上側端面１３ｂにシャフト４の段差４ｂが当たる位置まで挿入すると、回転子１３の下側端面１３ｃの位置にはシャフト４のリング溝２３が位置する。このリング溝２３に止め輪１２をはめることにより、シャフト４と回転子１３は中心軸Ｌ１の方向に固定される。
【手続補正１１】
【補正対象書類名】明細書
【補正対象項目名】００３１
【補正方法】変更
【補正の内容】
【００３１】
【発明の効果】
本発明によれば、シャフトと回転式電動機部の回転子との間に、ばねあるいはゴム等の弾性部材を設け、上記回転子をシャフトの中心軸のまわりに弾性支持したことにより、圧縮室の圧力変動に起因して回転式電動機部の負荷トルクが変動し、これにより容積型圧縮機構部のシャフト、ローラ等の回転部品の角速度の変動によるモーメントが発生しても、回転子はシャフトに対して、これを緩和する方向に振動することになり、圧縮機の密閉容器の振動を低減することができる。
【手続補正１２】
【補正対象書類名】明細書
【補正対象項目名】００３２
【補正方法】変更
【補正の内容】
【００３２】
また上記弾性部材の、シャフトの中心軸まわりの回転ばね定数Ｋを、回転式電動機部の回転子の中心軸まわりの慣性モーメントをＩR、容積型圧縮機構部のシャフトおよびローラの中心軸まわりの慣性モーメントをＩS、シャフトの回転数をｆとしたとき、Ｋ＝（２πｆ）2ＩRＩS／（ＩR＋ＩS）とすることにより、回転子とシャフトおよびローラからなる系の固有振動数とシャフトの回転数、すなわち負荷トルクの変動の周波数は一致するので、負荷トルクにより発生する容積型圧縮機構部のシャフトおよびローラのモーメントの変動と、回転式電動機部の回転子のモーメントの変動を大幅に相殺することができ、圧縮機の密閉容器の振動を大きく低減することができる。